(57)【要約】【課題】光ファイバケーブルから光ファイバ束を取出す時に一束性を保ちつつ、軽く曲げるだけで所望の光ファイバを容易に取り出せる。【解決手段】光ファイバ束１は、光ファイバケーブル内に収納する複数本の光ファイバ３を束ねて構成したものである。前記複数本の光ファイバ３が３０〜１５０ｍｍの撚りピッチＰｆで一方向に撚り合わせて構成されている。これにより、光ファイバケーブルから光ファイバ束１を取出す際に一束性が保たれる。しかも、光ファイバ束１を軽く曲げるだけで光ファイバ束１の中の所望の１本の光ファイバ３を容易に取り出すことができる。【選択図】図１
2005234031.tif 000002
【特許請求の範囲】
【請求項１】
光ファイバケーブル内に収納する複数本の光ファイバを束ねて構成した光ファイバ束において、
前記複数本の光ファイバを３０〜１５０ｍｍの撚りピッチで一方向に撚り合わせて構成してなることを特徴とする光ファイバ束。
【請求項２】
光ファイバケーブル内に収納する複数本の光ファイバを束ねて構成した光ファイバ束において、
前記複数本の光ファイバを３０〜１５０ｍｍの撚りピッチで一方向に撚り合わせると共に、前記撚り合わせた複数本の光ファイバの外周に線条体を巻回して構成してなることを特徴とする光ファイバ束。
【請求項３】
光ファイバケーブル内に収納する複数本の光ファイバを束ねて構成した光ファイバ束において、
前記複数本の光ファイバを３０〜１５０ｍｍの撚りピッチでＳＺに撚り合わせると共に、前記撚り合わせた複数本の光ファイバの外周に線条体を巻回して構成してなることを特徴とする光ファイバ束。
【請求項４】
光ファイバケーブル内に収納する複数本の光ファイバを束ねて構成した光ファイバ束において、
前記複数本の光ファイバを３０ｍｍ以上の撚りピッチで一方向に撚り合わせると共に、前記撚り合わせた複数本の光ファイバの外周に１本以上の線条体を３０〜１５０ｍｍの見かけ上の撚りピッチで巻回して構成してなることを特徴とする光ファイバ束。
【請求項５】
光ファイバケーブル内に収納する複数本の光ファイバを束ねて構成した光ファイバ束において、
前記複数本の光ファイバを３０ｍｍ以上の撚りピッチでＳＺに撚り合わせると共に、前記撚り合わせた複数本の光ファイバの外周に１本以上の線条体を３０〜１５０ｍｍの見かけ上の撚りピッチで巻回して構成してなることを特徴とする光ファイバ束。
【請求項６】
前記線条体に、識別用マーキングを施してなることを特徴とする請求項３〜５の何れかに記載の光ファイバ束。
【請求項７】
前記複数の光ファイバのうちの１本の光ファイバに、識別用マーキングを施してなることを特徴とする請求項３〜６の何れかに記載の光ファイバ束。
【請求項８】
複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチで一方向に撚り合わせて構成してなることを特徴とする光ファイバケーブル。
【請求項９】
複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチで一方向に撚り合わせると共に、前記撚り合わせた複数本の光ファイバの外周に線条体を巻回して構成してなることを特徴とする光ファイバケーブル。
【請求項１０】
複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチでＳＺに撚り合わせると共に、前記撚り合わせた複数本の光ファイバの外周に線条体を巻回して構成してなることを特徴とする光ファイバケーブル。
【請求項１１】
複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０ｍｍ以上の撚りピッチで一方向に撚り合わせると共に、前記撚り合わせた複数本の光ファイバの外周に１本以上の線条体を３０〜１５０ｍｍの見かけ上の撚りピッチで巻回して構成してなることを特徴とする光ファイバケーブル。
【請求項１２】
複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０ｍｍ以上の撚りピッチでＳＺに撚り合わせると共に、前記撚り合わせた複数本の光ファイバの外周に１本以上の線条体を３０〜１５０ｍｍの見かけ上の撚りピッチで巻回して構成してなることを特徴とする光ファイバケーブル。
【請求項１３】
前記光ファイバ束の線条体に、識別用マーキングを施してなることを特徴とする請求項９〜１２の何れかに記載の光ファイバケーブル。
【請求項１４】
前記光ファイバ束の複数の光ファイバのうちの１本の光ファイバに、識別用マーキングを施してなることを特徴とする請求項９〜１２の何れかに記載の光ファイバケーブル。
【請求項１５】
前記ケーブルコアが、中央部に抗張力体を有すると共に外周部にスロット溝を有するスロットを備え、前記スロット溝内に一又は複数の前記光ファイバ束を収納していることを特徴とする請求項８〜１４の何れかに記載の光ファイバケーブル。
【請求項１６】
前記ケーブルコアが、一又は複数の前記光ファイバ束と、この光ファイバ束の周囲に縦添えした介在部材とを備えていると共に、
前記ケーブルシースに、当該ケーブルシース中心を挟む対向位置に配置される一対の抗張力体を縦添えして内蔵していることを特徴とする請求項９〜１５の何れかに記載の光ファイバケーブル。
【発明の詳細な説明】
【技術分野】
【０００１】
この発明は、複数本の光ファイバを束ねて構成した光ファイバ束及び前記光ファイバ束を用いた光ファイバケーブルに関し、特に光ファイバケーブルから光ファイバ束を取出す時に一束性を保ちつつ、軽く曲げるだけで所望の光ファイバを容易に取り出せる光ファイバ束及び前記光ファイバ束を用いた光ファイバケーブルに関する。
【背景技術】
【０００２】
複数本の０．２５ｍｍφの光ファイバを収納して構成される光ファイバケーブルは、その下流側の光ファイバケーブルの複数本の光ファイバとの接続作業性を向上させるために、光ファイバケーブルに収納される複数本の光ファイバは、予め束ねられて光ファイバ束化される。
【０００３】
従来、複数本の光ファイバが光ファイバ束化されるには、複数本の光ファイバを撚らずに束ね、その外周にバンチング糸をバインドするものが主流である。
【０００４】
光ファイバケーブルとしては、例えば中心にテンションメンバを有するスロットの外周にＳＺ撚りに形成された複数のスロット溝が設けられ、この各スロット溝内に上記の光ファイバ束が一又は複数収容され、前記スロットの外周に不織布などからなる押え巻きが巻回され、押え巻きの外周にポリエチレン樹脂などからなるシースが施される（例えば、特許文献１及び特許文献２参照）。
【特許文献１】特許第３４２３１９２号公報
【特許文献２】特開平８−２３４０６８号公報
【発明の開示】
【発明が解決しようとする課題】
【０００５】
ところで、従来の光ファイバケーブルにおいては、構成される各光ファイバが太くなり、各光ファイバの剛性が高くなると、光ファイバケーブルから取り出された光ファイバ束がすぐにばらけてしまうという問題点があった。このために、例えば光ファイバケーブル内に複数の光ファイバ束が収納されている場合は、複数の光ファイバ束の相互の区別が困難になってしまうという問題点があった。
【０００６】
一方、光ファイバ束がばらけないように、つまり一束性を良くするために、バンチング糸の巻きピッチを小さくすると、光ファイバケーブルから取り出された光ファイバ束の中から所望の光ファイバを取り出しにくくなるという問題点があった。
【０００７】
この発明は上述の課題を解決するためになされたものである。
【課題を解決するための手段】
【０００８】
この発明の光ファイバ束は、光ファイバケーブル内に収納する複数本の光ファイバを束ねて構成した光ファイバ束において、前記複数本の光ファイバを３０〜１５０ｍｍの撚りピッチで一方向に撚り合わせて構成してなることを特徴とするものである。
【０００９】
また、この発明の光ファイバ束は、光ファイバケーブル内に収納する複数本の光ファイバを束ねて構成した光ファイバ束において、前記複数本の光ファイバを３０〜１５０ｍｍの撚りピッチで一方向に撚り合わせると共に、前記撚り合わせた複数本の光ファイバの外周に線条体を巻回して構成してなることを特徴とするものである。
【００１０】
また、この発明の光ファイバ束は、光ファイバケーブル内に収納する複数本の光ファイバを束ねて構成した光ファイバ束において、前記複数本の光ファイバを３０〜１５０ｍｍの撚りピッチでＳＺに撚り合わせると共に、前記撚り合わせた複数本の光ファイバの外周に線条体を巻回して構成してなることを特徴とするものである。
【００１１】
また、この発明の光ファイバ束は、光ファイバケーブル内に収納する複数本の光ファイバを束ねて構成した光ファイバ束において、前記複数本の光ファイバを３０ｍｍ以上の撚りピッチで一方向に撚り合わせると共に、前記撚り合わせた複数本の光ファイバの外周に１本以上の線条体を３０〜１５０ｍｍの見かけ上の撚りピッチで巻回して構成してなることを特徴とするものである。
【００１２】
また、この発明の光ファイバ束は、光ファイバケーブル内に収納する複数本の光ファイバを束ねて構成した光ファイバ束において、前記複数本の光ファイバを３０ｍｍ以上の撚りピッチでＳＺに撚り合わせると共に、前記撚り合わせた複数本の光ファイバの外周に１本以上の線条体を３０〜１５０ｍｍの見かけ上の撚りピッチで巻回して構成してなることを特徴とするものである。
【００１３】
さらに、この発明の光ファイバ束は、前記光ファイバ束において、前記線条体に、識別用マーキングを施してなることが好ましい。
【００１４】
さらに、この発明の光ファイバ束は、前記光ファイバ束において、前記複数の光ファイバのうちの１本の光ファイバに、識別用マーキングを施してなることが好ましい。
【００１５】
この発明の光ファイバケーブルは、複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチで一方向に撚り合わせて構成してなることを特徴とするものである。
【００１６】
また、この発明の光ファイバケーブルは、複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチで一方向に撚り合わせると共に、前記撚り合わせた複数本の光ファイバの外周に線条体を巻回して構成してなることを特徴とするものである。
【００１７】
また、この発明の光ファイバケーブルは、複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０〜１５０ｍｍの撚りピッチでＳＺに撚り合わせると共に、前記撚り合わせた複数本の光ファイバの外周に線条体を巻回して構成してなることを特徴とするものである。
【００１８】
また、この発明の光ファイバケーブルは、複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０ｍｍ以上の撚りピッチで一方向に撚り合わせると共に、前記撚り合わせた複数本の光ファイバの外周に１本以上の線条体を３０〜１５０ｍｍの見かけ上の撚りピッチで巻回して構成してなることを特徴とするものである。
【００１９】
また、この発明の光ファイバケーブルは、複数本の光ファイバを束ねて光ファイバ束を構成すると共に一又は複数の前記光ファイバ束を収納したケーブルコアと、このケーブルコアの外周部を覆うケーブルシースと、を具備してあって、
前記光ファイバ束が、前記複数本の光ファイバを３０ｍｍ以上の撚りピッチでＳＺに撚り合わせると共に、前記撚り合わせた複数本の光ファイバの外周に１本以上の線条体を３０〜１５０ｍｍの見かけ上の撚りピッチで巻回して構成してなることを特徴とするものである。
【００２０】
さらに、この発明の光ファイバケーブルは、前記光ファイバケーブルにおいて、前記光ファイバ束の線条体に、識別用マーキングを施してなることが好ましい。
【００２１】
さらに、この発明の光ファイバケーブルは、前記光ファイバケーブルにおいて、前記光ファイバ束の複数の光ファイバのうちの１本の光ファイバに、識別用マーキングを施してなることが好ましい。
【００２２】
さらに、この発明の光ファイバケーブルは、前記光ファイバケーブルにおいて、前記ケーブルコアが、中央部に抗張力体を有すると共に外周部にスロット溝を有するスロットを備え、前記スロット溝内に一又は複数の前記光ファイバ束を収納していることが好ましい。
【００２３】
さらに、この発明の光ファイバケーブルは、前記光ファイバケーブルにおいて、前記ケーブルコアが、一又は複数の前記光ファイバ束と、この光ファイバ束の周囲に縦添えした介在部材とを備えていると共に、前記ケーブルシースに、当該ケーブルシース中心を挟む対向位置に配置される一対の抗張力体を縦添えして内蔵していることが好ましい。
【発明の効果】
【００２４】
以上のごとき課題を解決するための手段から理解されるように、この発明によれば、光ファイバが３０〜１５０ｍｍの撚りピッチで一方向に撚り合わされているので、光ファイバケーブルから光ファイバ束を取り出したとき光ファイバ束の一束性を保つことができる。その結果、光ファイバケーブルから複数本の光ファイバ束を取り出したときに互いの光ファイバ束の光ファイバが輻輳することなく容易に識別できる。しかも、光ファイバ束を軽く円弧状に曲げるだけで、前記光ファイバ束から所望の１本の光ファイバを容易に選び出すことができ、取り出し性が良好である。
【００２５】
また、光ファイバが３０〜１５０ｍｍの撚りピッチで一方向又はＳＺに撚り合わされると共に、その上から線条体を巻回しているので、一束性をより一層向上できる。これにより、光ファイバの撚りピッチを大きくしても、良好な一束性を得ることができ、取り出し性が向上する。
【００２６】
また、光ファイバが３０ｍｍ以上の撚りピッチで一方向又はＳＺに撚り合わされると共に、その上から１本以上の線条体を３０〜１５０ｍｍの見かけ上の撚りピッチで巻回しているので、光ファイバの撚りピッチを１５０ｍｍ以上に大きくしても、良好な一束性を得ることができ、取り出し性が向上する。
【００２７】
さらに、光ファイバケーブルから複数本の光ファイバ束を取出した際にその一束性が保たれているので、光ファイバ束の光ファイバのうちの任意の１本に識別用マーキングを施しておくことにより、光ファイバ束の間の識別ができ、各光ファイバの識別を容易に行えるので、製造性、低コスト性に寄与できる。
【００２８】
また、前記線条体に識別用マーキングを施しておくことにより、光ファイバ束の間の識別ができ、各光ファイバの識別を容易に行えるので、製造性、低コスト性に寄与できる。
【００２９】
また、この発明の光ファイバケーブルは、上記の光ファイバ束を収納しているので、光ファイバ束を光ファイバケーブルから取り出したときに、光ファイバ束の一束性と、光ファイバの取出し性がすぐれているので、上述した光ファイバ束における効果と同様の効果を得ることができる。
【発明を実施するための最良の形態】
【００３０】
以下、この発明の実施の形態について図面を参照して説明する。
【００３１】
図１（Ａ），（Ｂ）を参照するに、第１の実施の形態に係る光ファイバ束１は、複数本の光ファイバ３が束ねられて光ファイバ束化されるもので、図２及び図３に示されているように、種々の光ファイバケーブル５，７に収納されるものである。なお、上記の光ファイバ３としては、この実施の形態では、ＪＩＳで規定する光ファイバ素線（例えば、外径０．２５ｍｍ）や、光ファイバ心線（例えば、外径０．９ｍｍ）の両方が含まれている。
【００３２】
図２を参照するに、この発明の実施の形態の光ファイバケーブル５としては、中央部に抗張力体としてのテンションメンバ９を有するスロット１１の外周部にＳＺ撚りに形成された複数のスロット溝１３が設けられ、前記各スロット溝１３内には上記の光ファイバ束１が一又は複数本、この実施の形態では一本の光ファイバ束１が収納されている。さらに、前記スロット１１の外周には不織布などからなる押え巻き１５が巻回されており、これらが全体としてケーブルコア１７を構成している。このケーブルコア１７の外周部をケーブルシース１９（外被）が覆うように設けられており、このケーブルシース１９はＰＥ（ポリエチレン）又はＰＶＣ（ポリ塩化ビニル）などからなるものである。
【００３３】
図３を参照するに、この発明の他の実施の形態の光ファイバケーブル７としては、上記の光ファイバ束１を一又は複数本、この実施の形態では４本の光ファイバ束１が実装された構造となっている。つまり、４本の光ファイバ束１の間と周囲を保護するように介在部材２１が縦添えされており、これらが全体としてケーブルコア２３を構成している。なお、前記介在部材２１は、例えばＰＰヤーン（ポリプロピレン・ヤーン）などからなるものである。前記ケーブルコア２３の外周部をケーブルシース２７（外被）が覆うように設けられており、ケーブルシース２７にはケーブルコア２３の外側に２本の抗張力体２５が対向する位置でケーブルコア２３の延伸方向に並行して縦添えして内蔵されている。なお、前記ケーブルシース２７はＰＥ（ポリエチレン）又はＰＶＣ（ポリ塩化ビニル）などからなるものである。
【００３４】
再び図１（Ａ），（Ｂ）を参照して、第１の実施の形態の光ファイバ束１についてより詳しく説明すると、光ファイバ束１は、基本的には前述した光ファイバケーブル５，７などの光ファイバケーブルから光ファイバ束１を取り出したときに、光ファイバ束１を構成する複数本の光ファイバ３がばらけないように、つまり光ファイバ束１の一束性を保つように複数本の光ファイバ３を撚り合わせた構造とする。しかも、これと同時に、光ファイバケーブルから取り出した光ファイバ束１の複数本の光ファイバ３の中から所望の１本の光ファイバ３を容易に取り出す性能（光ファイバ３の取出し性）も合わせ持つように構成することにある。
【００３５】
なお、上記の光ファイバ３の取出し性は、光ファイバ束１の各光ファイバ３が損失増加しない程度の曲げ径（曲率半径：Ｒ）で光ファイバ束１を円弧状に曲げることにより、所望の１本の光ファイバ３を容易に取り出せることを意味する。
【００３６】
また、この実施の形態では、上記の曲げ径（曲率半径）Ｒが、光ファイバ束１の曲げ作業中に光ファイバ３を破断させない条件として、Ｒ＝５０ｍｍが設定されている。ちなみに、光ファイバ束１には活線が含まれる可能性があるので、通常は曲率半径Ｒが３０ｍｍ以上で曲げられる必要がある。
【００３７】
第１の実施の形態の光ファイバ束１は、複数本（この実施の形態では７本）の光ファイバ３の撚りピッチＰｆを短ピッチで一方向に撚り合わせることにより、光ファイバ束１を曲げた時にばらけないように構成している。図１（Ａ），（Ｂ）では、撚り状態を説明するために、黒塗りの光ファイバ３のみを代表して図示している。
【００３８】
光ファイバ束１の一束化について説明すると、複数本の光ファイバ３を撚り合わせた光ファイバ束１の一束性は、光ファイバ３の撚りピッチＰｆに依存する。この点について、光ファイバ束１を円弧状に曲げる際、図４に示されているように曲げられる円弧角度θが４５°以下のときは、曲げ範囲の間に１回以上の撚りが存在することにより、光ファイバ束１の一束性は保たれることが分かった。
【００３９】
つまり、光ファイバ束１が曲率半径Ｒで曲げられると、個々の光ファイバ３が曲げ中心に近い軌跡を取ることになるので、所望の１本の光ファイバ３が図４において取り出す前の位置から取り出し後の位置となるようになり、しかも、曲げ範囲の間に１回の撚りが存在することにより、他の光ファイバ３はばらけることなく選択的に取り出すことが可能となる。
【００４０】
また、図５に示されているように光ファイバ束１を曲げる円弧角度θが１００°以上のときは、一束性を保ちながら所望の１本の光ファイバ３を取り出すためには曲げ範囲の間に２回以上の撚りが存在しなければならないことが分かった。
【００４１】
さらに、光ファイバ３の取出し性について説明すると、例えば光ファイバケーブル５における後分岐作業時は、通常、５００ｍｍの長さで例えば図２における光ファイバケーブル５のケーブルシース１９（外被）及び押え巻き１５が剥ぎ取られ、スロット溝１３から光ファイバ束１が取り出され、この光ファイバ束１の中の所望の１本の光ファイバ３が取り出されて分岐される。通常では、光ファイバ３のたるみ量は１０〜３０ｍｍ程度が確保されるが、このときの光ファイバ束１の円弧角度θは、せいぜい２０°程度である。このとき、光ファイバ束１から取り出される光ファイバ３の長さは５１０ｍｍ以下であるので、光ファイバ３の取出し時に光ファイバ束１の一束性が保たれるためには、光ファイバ３の撚りピッチを２５０ｍｍ以下とするのが一般的である。
【００４２】
また、光ファイバ３の識別時の作業性について説明すると、例えば図２における光ファイバケーブル５のスロット１１から取り出された光ファイバ束１は、所望の１本の光ファイバ３を取り出すために円弧状に曲げられるが、光ファイバ束１に活線が含まれている可能性があるので、光ファイバ３の損失増加をさせないために通常は曲げの曲率半径Ｒが３０ｍｍ以上で曲げられる必要がある。なお、このときに取り出される光ファイバ３の長さから、曲げの円弧角度θが１８０°以上に曲げられることも容易に考えられる。
【００４３】
したがって、光ファイバ３の撚りピッチＰｆが３０ｍｍ以下である場合は、光ファイバ束１から光ファイバ３を取り出すには、損失増加する曲率半径Ｒ（３０ｍｍ以下）にまで曲げる必要が生じてしまう。そのために、光ファイバ３の撚りピッチＰｆは３０ｍｍ以上とする必要があることが実験結果から分かった。このことは、光ファイバ３の識別の作業性の観点からも同様であり、光ファイバ３の撚りピッチＰｆは３０ｍｍ以上とする必要がある。
【００４４】
なお、光ファイバ３の取出し時と光ファイバ３の識別時とにおける作業性を両立させるためには、光ファイバ３の撚りピッチＰｆを３０〜１５０ｍｍとする必要があることが、実験結果から分かった。この点について詳しくは後述する。
【００４５】
上記の第１の実施の形態の光ファイバ束１について、光ファイバ３の撚りピッチＰｆをパラメータにとり、種々の撚りピッチＰｆの光ファイバ束１を製作し、それぞれの光ファイバ束１から所望の１本の光ファイバ３を取り出す際に光ファイバ束１がばらけるか否か（一束性）、及びそれぞれの光ファイバ束１から所望の１本の光ファイバ３が取り出せるか否かを実験して考察した。その結果は表１に示されている。
【００４６】
なお、このときの光ファイバ３としては０．５ｍｍφのナイロン被覆の光ファイバ心線であり、図１（Ａ），（Ｂ）に示されているように光ファイバ束１は前記７本の光ファイバ心線が一方向に撚り合わされて製作したものである。光ファイバ３の撚りピッチＰｆは、それぞれ、２５ｍｍ，３０ｍｍ，５０ｍｍ，１００ｍｍ，１５０ｍｍ，２００ｍｍ，３００ｍｍの７種類である。
【００４７】
さらに、上記の各光ファイバ束１は、光ファイバケーブル５のＳＺスロット溝１３へ収納して図２のようにケーブル化される。上記の各光ファイバ束１ごとの７種類の光ファイバケーブル５を製作した。そして、各光ファイバケーブル５に対して後分岐時における光ファイバ束１の一束性と光ファイバ３の取り出し性の両方の作業性を検証した。前記一束性と取り出し性では、良好を○、悪いを×で示している。また、評価については、前記一束性と取り出し性の両方が○であるものを、良好の○で示している。
【表１】
2005234031.tif 000003
【００４８】
表１から分かるように、複数本の光ファイバ３を３０〜１５０ｍｍの撚りピッチＰｆで一方向に撚り合わせた光ファイバ束１は、一束性と取り出し性の両方が良好であることが分かる。しかも、前述したように、光ファイバ３の識別の作業性の観点からは光ファイバ３の撚りピッチＰｆを３０ｍｍ以上とする必要があることから、一束性と取り出し性と光ファイバ３の識別の作業性のいずれに対しても良好であるためには、光ファイバ３の撚りピッチＰｆを３０〜１５０ｍｍとすることが条件となる。
【００４９】
次に、この発明の第２の実施の形態の光ファイバ束２９について説明する。なお、前述した第１の実施の形態の光ファイバ束１と同様の部材は同符号を付して説明する。
【００５０】
図６（Ａ），（Ｂ）を参照するに、第２の実施の形態の光ファイバ束２９は、複数本（この実施の形態では７本）の光ファイバ３の撚りピッチＰｆを長ピッチで一方向に撚り合わせると共に、この撚り合わせた光ファイバ３の外周に線条体としての例えば粗巻きヤーン３１を撚りピッチＰｙで巻き付けることにより、光ファイバ束２９を曲げた時にばらけないように保持している。図６（Ａ），（Ｂ）では、光ファイバ３の撚り状態を説明するために、黒塗りの光ファイバ３のみを代表して図示している。なお、粗巻きヤーン３１としては、例えばナイロンヤーン、ポリエステルフィラメント、綿糸などが用いられる。
【００５１】
なお、この光ファイバ束２９は、第１の実施の形態に係る光ファイバ束１と同様に、図２及び図３に示されている光ファイバケーブル５，７などの種々の光ファイバケーブルに収納されるものである。基本的には前述した光ファイバケーブル５，７から光ファイバ束２９を取り出したときに、光ファイバ束２９の一束性を保つことと、光ファイバ束２９の中から所望の１本の光ファイバを容易に取り出せる取出し性も合わせ持つように構成することである。
【００５２】
次に、上記の第２の実施の形態の光ファイバ束２９について、粗巻きヤーン３１の撚りピッチＰｙと、光ファイバ３の撚りピッチＰｆをパラメータにとり、種々の撚りピッチの光ファイバ束２９を製作し、それぞれの光ファイバ束２９から所望の１本の光ファイバ３を取り出す際に光ファイバ束２９がばらけるか否か（一束性）、及びそれぞれの光ファイバ束２９から所望の１本の光ファイバ３が取り出せるか否かを実験して考察した。その結果は表２に示されている。
【００５３】
なお、このときの光ファイバ３としては０．５ｍｍφのナイロン被覆の光ファイバ心線であり、図６（Ａ），（Ｂ）に示されているように光ファイバ束２９は前記７本の光ファイバ心線が一方向に撚り合わされ、その上に粗巻きヤーン３１を巻回して製作したものである。この実験では、光ファイバ３の撚りピッチＰｆを３００ｍｍにしたときに、粗巻きヤーン３１の撚りピッチＰｙを、それぞれ、３０ｍｍ，１００ｍｍ，１５０ｍｍ，２００ｍｍ，３００ｍｍとした５種類である。
【００５４】
さらに、上記の各光ファイバ束２９は、例えば図２に示した光ファイバケーブル５のＳＺスロット溝１３へ収納してケーブル化される。上記の各光ファイバ束２９ごとの５種類の光ファイバケーブル５を製作した。そして、各光ファイバケーブル５に対して後分岐時における光ファイバ束２９の一束性と光ファイバ３の取り出し性の両方の作業性を検証した。前記一束性と取り出し性では、良好を○、悪いを×で示している。また、評価については、前記一束性と取り出し性の両方が○であるものを、良好の○で示している。
【表２】
2005234031.tif 000004
【００５５】
表２から分かるように、光ファイバ束２９は、複数本の光ファイバ３の上に粗巻きヤーン３１が巻き付けられることで、光ファイバ束２９の一束性を保つことが可能である。粗巻きヤーン３１無しの光ファイバ束１の場合は、光ファイバ３の撚りピッチＰｆが１５０ｍｍ以下である必要があったが、光ファイバ束２９の場合は、粗巻きヤーン３１の撚りピッチＰｙが３０〜１５０ｍｍとされることにより、光ファイバ３の撚りピッチＰｆは１５０ｍｍ以上としても目的の性能が得られる。
【００５６】
なお、粗巻きヤーン３１有りの光ファイバ束２９では、光ファイバ３の撚りピッチが３０〜１５０ｍｍの範囲内にある場合は光ファイバ束１と同様に光ファイバ３の撚りだけでも一束性が保たれるので、表２に相応する一束性についてはすべて良好の○となる。したがって、光ファイバ束２９の他の例としては、光ファイバ３の撚りピッチＰｆが３０〜１５０ｍｍのときには、且つ粗巻きヤーン３１の撚りピッチＰｙが限定されなくても、目的の性能が得られる。
【００５７】
なお、図６（Ａ）、（Ｂ）及び上記の実験では複数本の光ファイバ３が一方向に撚り合わせた光ファイバ束２９について説明したが、上記の第２の実施の形態の光ファイバ束２９に関連する他の実施の形態の光ファイバ束２９としては、複数本の光ファイバ３がＳＺに撚り合わせたものであっても適用され、同様の作用効果を得られるので、詳細な説明は省略する。
【００５８】
以上のように、この発明の実施の形態の光ファイバ束としては、第１の実施の形態の光ファイバ束１と第２の実施の形態の光ファイバ束２９の２通りがある。以下に、これらの光ファイバ束１と光ファイバ束２９の違いについて説明する。
【００５９】
光ファイバ束１は、曲げられた時に光ファイバ束１がばらけないように一束性を保持するために、光ファイバ３の撚りピッチＰｆが短いのであるが、光ファイバ束２９は光ファイバ３の外周に粗巻きヤーン３１を設けたので、光ファイバ３の撚りピッチＰｆは長くてもよい。ただし、光ファイバ束２９がばらけないように一束性を保持するために、粗巻きヤーン３１の撚りピッチＰｙは短いものである。
【００６０】
また、光ファイバ束１の長所は、粗巻きヤーン３１が不要なことである。一方、光ファイバ束２９の長所は、光ファイバ３の撚りピッチＰｆが長いので製造ラインを高速にできることや、光ファイバ束２９が複数存在する時、まず粗巻きヤーン３１で光ファイバ束２９の識別が可能であることである。
【００６１】
以上のことから、光ファイバケーブル５，７から光ファイバ束１，２９を取り出したとき光ファイバ束１，２９の一束性が保たれるように光ファイバ３の撚りピッチＰｆや粗巻きヤーン３１の撚りピッチＰｙが設定されているので、光ファイバケーブル５，７から複数本の光ファイバ束１，２９を取り出したときに互いの光ファイバ束１，２９の光ファイバ３が輻輳することなく識別が容易である。
【００６２】
また、光ファイバケーブル５，７から光ファイバ束１，２９を取出した時に一束性は保たれるが、軽く曲げるだけでその一束性が崩れるため、光ファイバ束１，２９から所望の１本の光ファイバ３を選び出すことが容易である。
【００６３】
さらに、光ファイバケーブル５，７から複数本の光ファイバ束１，２９を取出した際にその一束性が保たれているので、光ファイバ束１，２９の間の識別は、光ファイバ束１，２９を構成する複数本の光ファイバ３のうちの任意の１本に、着色、図７（Ａ）に示されるようなリングマーク３３、図７（Ｂ）に示されるようなドット印刷３５などの識別用マーキングを施しておけば、各光ファイバ３の識別は可能であるために製造性、低コスト性に優れる。
【００６４】
また、光ファイバケーブル５，７から複数本の光ファイバ束１，２９を取り出した際に、その一束性が保たれているので、光ファイバ束１，２９の相互間の識別は、光ファイバ束１，２９の上に１本もしくはそれ以上の粗巻きヤーン３１を巻き付け、前述した光ファイバ３の場合と同様に前記粗巻きヤーン３１に識別用マーキング（着色、リングマーク３３、ドット印刷３５など）を施しておけば、各光ファイバ束１，２９の識別は可能であるため、製造性、低コスト性に優れる。
【００６５】
なお、この発明は前述した実施の形態に限定されることなく、適宜な変更を行うことによりその他の態様で実施し得るものである。この実施の形態の光ファイバ束１及び光ファイバ束２９は、図２のＳＺスロット型光ファイバケーブルや、図３のセンタチューブ型光ファイバケーブルだけでなく、その他の後分岐可能な光ファイバケーブルへの適用が可能である。
【図面の簡単な説明】
【００６６】
【図１】（Ａ）は第１の発明の実施の形態の光ファイバ束の概略説明図で、（Ｂ）は（Ａ）の矢視Ｉ−Ｉ線の断面図である。
【図２】この発明の実施の形態の光ファイバケーブルを示すもので、ＳＺスロット型光ファイバケーブルの断面図である。
【図３】この発明の実施の形態の光ファイバケーブルを示すもので、センタチューブ型光ファイバケーブルの断面図である。
【図４】光ファイバ束を円弧角度４５°以下に円弧状に曲げるときの光ファイバの撚りピッチと光ファイバの取り出し状態の説明図である。
【図５】光ファイバ束を円弧角度１００°以上に円弧状に曲げるときの光ファイバの撚りピッチ状態の説明図である。
【図６】（Ａ）は第２の発明の実施の形態の光ファイバ束の概略説明図で、（Ｂ）は（Ａ）の矢視ＶＩ−ＶＩ線の断面図である。
【図７】（Ａ），（Ｂ）は光ファイバへの識別用マーキングの例を示す斜視図である。
【符号の説明】
【００６７】
１  光ファイバ束
３  光ファイバ
５  光ファイバケーブル
７  光ファイバケーブル
９  テンションメンバ（抗張力体）
１１  スロット
１３  スロット溝
１５  押え巻き
１７  ケーブルコア
１９  ケーブルシース
２１  介在部材
２３  ケーブルコア
２５  抗張力体
２７  ケーブルシース
２９  光ファイバ束
３１  粗巻きヤーン
３３  リングマーク
３５  ドット印刷
【図１】
2005234031.tif 000005
【図２】
2005234031.tif 000006
【図３】
2005234031.tif 000007
【図４】
2005234031.tif 000008
【図５】
2005234031.tif 000009
【図６】
2005234031.tif 000010
【図７】
2005234031.tif 000011